(57)【要約】【課題】バネ座金や接着剤を用いずに、締め付けたネジの緩みを防止することができるネジを提供する。また、計測器を用いることなく、締め付け状態を容易に目視確認することができるネジを提供する。【解決手段】ネジ頭２に第一雄ネジ部３を備え、第一雄ネジ部３は、コイルバネ５（弾性部材）を介して第二雄ネジ部４と連結し、第一雄ネジ部３と第二雄ネジ部４とが、同軸Ｋ上にある。【選択図】図１
2007224973.tif 000002
【特許請求の範囲】
【請求項１】
ネジ頭に第一雄ネジ部を備え、前記第一雄ネジ部は、弾性部材を介して第二雄ネジ部と連結し、前記第一雄ネジ部と前記第二雄ネジ部とが、同軸上にあることを特徴とするネジ。
【請求項２】
前記第一雄ネジ部は、ネジ山の山数が１〜２山に設定されていることを特徴とする請求項１に記載のネジ。
【請求項３】
前記第一雄ネジ部と前記第二雄ネジ部との対向する面に、前記第一雄ネジ部と前記第二雄ネジ部との相対回転を規制する係止部が設けられていることを特徴とする請求項１または請求項２に記載のネジ。
【請求項４】
前記係止部は、前記第一雄ネジ部と前記第二雄ネジ部の対向する面の何れか一方に設けられた複数のガイドピンと、他方にこれらに対応して設けられた複数のガイド穴とを備えたことを特徴とする請求項３に記載のネジ。
【発明の詳細な説明】
【技術分野】
【０００１】
この発明は、緩み防止構造を有するネジに関するものである。
【背景技術】
【０００２】
従来から、ネジの緩み防止として、バネ座金が広く使用されている。このバネ座金は、ネジに嵌挿してネジを締め付けると、バネ座金が押し潰され、その厚さ方向に向かって反発力を付勢する。この反発力がネジの緩む回転方向に対する抵抗力を発生させ、結果的にネジの緩みを防止できるようになっている。
【０００３】
ところで、作業現場等において、ネジを締め付ける際にネジを傾けると、バネ座金がネジから脱落してしまい、バネ座金を再度ネジに嵌挿しなおす場合がある。このようなことを防止するため、ネジにバネ座金を予め嵌挿することで、このバネ座金がネジから脱落しないようにした、いわゆるバネ座金付ネジが提案されている（例えば、特許文献１参照）。
また、バネ座金を使用せずに、ネジの緩みを防止する方法として、ネジを締め付ける際、エポキシ系、アクリル系あるいはポリエステル系接着剤をネジに塗布し、締め付けたネジを固定する方法が提案されている（例えば、特許文献２参照）。
【特許文献１】特開平１１−２８０７８３号公報
【特許文献２】特開平３−２５５２１０号公報
【発明の開示】
【発明が解決しようとする課題】
【０００４】
しかしながら、特許文献１に開示された技術では、ネジ頭の厚みと、バネ座金の厚みとを加えたスペースが確保できないような箇所で使用することができないという課題がある。また、ネジの緩み防止としては、必ずしも十分でないという課題もある。
さらに、特許文献２に開示された技術では、例えば、保守点検等の際に、何度もネジを取り外したり、締め付けたりする場合には適さないという課題がある。
また、これら開示された技術では、ネジの締め付け状態を確認するには、例えば、トルクゲージ等の計測器を用いて締め付けトルクを確認しなければならず、作業効率の悪いものであった。  
【０００５】
そこで、本発明は、バネ座金や接着剤を用いずに、締め付けたネジの緩みを防止することができるネジを提供するものである。また、計測器を用いることなく、締め付け状態を容易に目視確認することができるネジを提供するものである。
【課題を解決するための手段】
【０００６】
上記の課題を解決するために、本発明は、ネジ頭に第一雄ネジ部を備え、前記第一雄ネジ部は、弾性部材を介して第二雄ネジ部と連結し、前記第一雄ネジ部と前記第二雄ネジ部とが、同軸上にあることを特徴とする。
【０００７】
また、本発明は、前記第一雄ネジ部は、ネジ山の山数が１〜２山に設定されていることを特徴とする。
【０００８】
さらに、本発明は、前記第一雄ネジ部と前記第二雄ネジ部との対向する面に、前記第一雄ネジ部と前記第二雄ネジ部との相対回転を規制する係止部が設けられていることを特徴とすることを特徴とする。
【０００９】
また、本発明は、前記係止部は、前記第一雄ネジ部と前記第二雄ネジ部の対向する面の何れか一方に設けられた複数のガイドピンと、他方にこれらに対応して設けられた複数のガイド穴とを備えたことを特徴とすることを特徴とする。
【発明の効果】
【００１０】
本発明によれば、ネジ頭に備えた第一雄ネジ部と、第二雄ネジ部とを連結した弾性部材を縮退させ、第一雄ネジ部と第二雄ネジ部とが密接した状態で当該ネジを締め付ける。このため、当該ネジを完全に締め付けた状態において、弾性部材の反発力がネジの軸方向に沿う方向に付勢する。
この反発力によって、第一雄ネジ部および第二雄ネジ部のネジ山が雌ネジの谷に対して摩擦抵抗を増加させ、当該ネジの緩む回転方向に対して抵抗となる。よって、当該ネジの緩みを確実に防止することが可能となる。
【００１１】
また、ネジ頭に備えた第一雄ネジ部のネジ山の数が１〜２山に設定されていることから、例えば、作業者が当該ネジを締め忘れた場合、弾性部材によって、ネジ頭が第二雄ネジ部から飛び出したような状態となる。このため、作業者が計測器等を用いることなく、一目で当該ネジが確実に締め付けられた状態であるかを確認することができる。
【発明を実施するための最良の形態】
【００１２】
次に、本発明の第一実施形態を図１〜図７に基いて説明する。
図１（ａ）は、本発明に係るネジの上面図。図１（ｂ）は、本発明に係るネジの側面図である。
図１（ａ）、図１（ｂ）に示すように、ネジ１は、ネジ頭２と、このネジ頭２に連設した第一雄ネジ部３を備え、第一雄ネジ部３に対向するように第二雄ネジ部４を備えている。これら第一雄ネジ部３と第二雄ネジ部４は、同軸Ｋ上に配置された状態で、コイルバネ５によって連結されている。ここで、コイルバネ５は、負荷がかかっていない、いわゆる無負荷状態である。
ネジ頭２は、外形状が略円形に形成されたものであって、ネジ頭２上には、略十字の溝６が形成されている。そして、この溝６に、ネジ締め付け用の工具を用いることで、その工具の回転力をネジ頭２に伝達できるようになっている。    
【００１３】
第一雄ネジ部３は、この第一雄ネジ部３と第二雄ネジ部４とで一連のネジとなるように形成されている（図３参照）。つまり、第一雄ネジ部３と第二雄ネジ部４は、それぞれが密接した状態において、連続したネジを形成している。
第一雄ネジ部３の長さＬは、ネジ山１７の山数が一つになるように設定されている。具体的には、例えば第一雄ネジ部３および第二雄ネジ部４がメートル並目ネジであって、ネジの呼びがＭ１０（ＪＩＳ  Ｂ  ０２０５−１９９７，ＪＩＳ  Ｂ  ０２０７−１９９７参考）である場合、第一雄ネジ部３の長さＬは、１．５ｍｍとなる。
尚、第一雄ネジ部３の長さＬは、ネジ山１７の山数が二つになるように設定してもよい。この場合、例えば、ネジの呼びがＭ１０であれば、長さＬは、３ｍｍとなる。
【００１４】
図２に詳示するように、第一雄ネジ部３における第二雄ネジ部４と対向する平面１０には、略円形の収容凹部７が形成されている。この収容凹部７の中心は、第一雄ネジ部３の軸上Ｋに位置している。
また、平面１０には、収容凹部７に隣接して一対のガイドピン８ａ，８ｂが設けられている。このガイドピン８ａ，８ｂは、第二雄ネジ部４に向かって突出している。
【００１５】
一方、第二雄ネジ部４における第一雄ネジ部３と対向する平面１１にも、略円形の収容凹部９が形成されている。この収容凹部９の中心は、第二雄ネジ部４の軸上に位置している。
また、第二雄ネジ部４の平面１１には、ガイドピン８ａ，８ｂに対応する部分にガイド穴１２ａ，１２ｂが形成されている。
そして、これらガイド穴１２ａ，１２ｂと第一ネジ部３に設けられたガイドピン８ａ，８ｂは、互いにスライド可能に嵌合する。
【００１６】
第一雄ネジ部３と第二雄ネジ部４とを連結するコイルバネ５は、その一端が第一雄ネジ部３の収容凹部７に、他端が第二雄ネジ部４の収容凹部９に収容され、それぞれに溶接されて接合している。
第一雄ネジ部３と第二雄ネジ部４との間には、隙間Ｓが形成されている。この隙間Ｓの寸法は、コイルバネ５の全長およびバネ係数などに基いて設定されている。つまり、隙間Ｓは、コイルバネ５が縮退し、第一雄ネジ部３と第二雄ネジ部４とが密接した状態であっても、コイルバネ５の反発力が、作業者にとって無理な負荷とならないように設定されている。
尚、前述した第一雄ネジ部３に設けられたガイドピン８ａ，８ｂの突出長さＨは、この隙間Ｓより短く設定されている。
【００１７】
次に、本発明に係るネジ１の締め付け方法について図３〜図５に基いて説明する。
尚、ここでは、説明の都合上、筐体１４に板金部材１６をネジ１によって締結固定する場合について説明する。
図３に示すように、工具であるプラスドライバ１３をネジ頭２に係合させ、第二ネジ部４を筐体１４の雌ネジ部１５に押し当てる。そして、ネジ頭２を第二雄ネジ部４に向かって（矢印Ａ方向）押圧する。このとき、ガイド穴１２ａ，１２ｂにガイドピン８ａ，８ｂが嵌合（係止）され、第一雄ネジ部３と第二雄ネジ部４とが密接した状態となる。
この状態を維持しながら、ネジ１を回転させ、筐体１４の雌ネジ部１５に締め付けることで、ネジ頭２と係合しているプラスドライバ１３の回転力が、ガイド穴１２ａ，１２ｂとガイドピン８ａ，８ｂを介して第二雄ネジ部４に伝達される。  
【００１８】
図４は、ネジ１を筐体１４の雌ネジ部１５に完全に締め付ける直前の状態を示している。
この状態において、第一雄ネジ部３は、筐体１４の雌ネジ部１５に締め付けられていない。このため、プラスドライバ１３をネジ１から矢印Ｂ方向に離反すると、図５に示すように、コイルバネ５の反発力によってネジ頭２が筐体１４から飛び出した状態となる。
【００１９】
したがって、ネジ１が完全に筐体１４に締結固定されていない場合には、ネジ頭２が筐体１４から飛び出した状態となるため、作業者がネジの締め付け状態を容易に目視確認することができる。
また、第一雄ネジ部３に色彩（例えば、赤色）を施せば、筐体１４から飛び出した状態のネジ頭２を一層際立たせることができ、視認性を向上させることができる。
【００２０】
図６（ａ）は、ネジ１が完全に筐体１４に締め付けられ、板金部材１６が筐体１４に締結固定された状態を示し、図６（ｂ）は、図６（ａ）におけるＣ部拡大図である。
図６（ａ）に示すように、第一雄ネジ部３は、板金部材１６を介して筐体１４の雌ネジ部１５に締め付けられている。
図６（ｂ）に示すように、筐体１４に締め付けられた第一雄ネジ部３のネジ山１７は、コイルバネ５の反発力によって、雌ネジ部１５の谷１９を軸方向のネジ頭２側（矢印Ｄ方向）に向かって押圧される。
一方、第二雄ネジ部４のネジ山１８は、コイルバネ５の反発力によって、雌ネジ部１５の谷１９を軸方向のネジ頭２側とは反対側（矢印Ｅ方向）に向かって押圧される。
【００２１】
このため、第一雄ネジ部３と第二雄ネジ部４との間には、それぞれの雄ネジ部３，４におけるネジ山１７，１８と雌ネジ部１５の谷１９分の隙間が形成される。この隙間は、上述したガイドピン８ａ，８ｂの突出長さＨより短いため、作業者が、再度ネジ１を取り外す場合においても、ネジ頭２の回転力を第二雄ネジ部４に伝達することが可能となる。
【００２２】
したがって、上述の第一実施形態によれば、第一雄ネジ部３と第二雄ネジ部４との間に設けられたコイルバネ５によって、それぞれの雄ネジ部３，４のネジ山１７，１８が雌ネジ部１５の谷１９を軸方向に向かって押圧される。このため、ネジ山１７，１８と谷１９との摩擦抵抗が増大し、ネジ１の緩む回転方向に対する抵抗が増大する。よって、筐体１４に締め付けられたネジ１の緩みを確実に防止する効果がある。  
【００２３】
また、ネジ頭２を第二雄ネジ部４に向かって押圧し、ガイドピン８ａ，８ｂとガイド穴１２ａ，１２ｂとが嵌合するように第一雄ネジ部３と第二雄ネジ部４とを密接させることで、ネジ頭２に係合しているプラスドライバ１３の回転力を第一雄ネジ部３を介して第二雄ネジ部４へと伝達することができる。
また、コイルバネ５は、作業者にとって無理な負荷がかからないようにその反発力が設定されているため、作業者は、容易にネジ１を締め付けることができる。
【００２４】
次に、本発明の第二実施形態を図１〜図６を援用し、図７に基いて説明する。尚、第一実施形態と同一部分には、同一符号を付して説明する（以下の実施形態でも同様）。
この実施形態では、第一雄ネジ部３に設けられたガイドピン２０ａ，２０ｂの長さが、コイルバネ５が無負荷状態において、第二雄ネジ部４に設けられたガイド穴２１ａ，２１ｂと予め嵌合するような長さに設定されている。ガイド穴２１ａ，２１ｂの穴深さは、第一雄ネジ部３と第二雄ネジ部４とが密接した状態にすることができる深さで設定されている。これらガイドピン２０ａ，２０ｂとガイド穴２１ａ，２１ｂは、互いにスライド可能に嵌合する。
【００２５】
したがって、上述の第二実施形態によれば、予めガイドピン２０ａ，２０ｂとガイド穴２１ａ，２１ｂが嵌合しているため、ネジ１を締め付ける際、作業者が第一雄ネジ部３と第二雄ネジ部４を密接させるために、ガイドピン２０ａ，２０ｂの位置とガイド穴２１ａ，２１ｂの位置を意識する必要がなくなる。
つまり、作業者は、ネジ１を締め付けるために、何ら意識することなく、ネジ頭２を第二雄ネジ部４に向かって押圧しながら締め付けていけばよい。このため、さらに容易にネジ１を締め付けることができる。
【００２６】
次に、本発明の第三実施形態を図８に基いて説明する。
この実施形態では、第一雄ネジ部３と第二雄ネジ部４は、板バネ部材２２ａ，２２ｂによって連結されている。
ここで、この実施形態では、板バネ部材２２ａ，２２ｂによって第一雄ネジ部３と第二雄ネジ部４との相対回転を規制するようになっている。このため、第一雄ネジ部３にガイドピンを設けたり、第二雄ネジ部４にガイド穴が形成されたりしてないが、この板バネ部材２２ａ，２２ｂと、ガイドピンおよびガイド穴とを併用してもよい。
【００２７】
したがって、上述の第三実施形態によれば、ガイドピンを設けたり、ガイド穴を形成したりすることがなくなるため、部品点数を低減できる効果がある。
【００２８】
次に、本発明の第四実施形態を図９に基いて説明する。
この実施形態では、第一雄ネジ部３と第二雄ネジ部４は、油圧ピストン２３によって連結されている。尚、この油圧ピストン２３は、空圧ピストンであっても同様の効果を奏することができる。
また、この実施形態では、油圧ピストン２３によって第一雄ネジ部３と第二雄ネジ部４との相対回転を規制するようになっている。このため、上述の第三実施形態と同様に、第一雄ネジ部３にガイドピンを設けたり、第二雄ネジ部４にガイド穴が形成されたりしないが、この油圧ピストン２３と、ガイドピンおよびガイド穴とを併用してもよい。
【００２９】
したがって、上述の第四実施形態によれば、第一雄ネジ部３にガイドピンを設けたり、第二雄ネジ部４にガイド穴を形成したりすることがなく、部品点数を低減できると共に、さまざまなバネ部材のように、疲労破壊やバネ係数が減衰することがなく、ネジ１の延命対策に効果を奏することができる。
【００３０】
尚、本発明は上述した実施形態に限られるものではなく、例えば、図２に示す第一実施形態では、第一雄ネジ部３にガイドピン８ａ，８ｂを設け、第二雄ネジ部４にガイド穴１２ａ，１２ｂを形成した場合について説明したが、第一雄ネジ部３にガイド穴１２ａ，１２ｂを形成し、第二雄ネジ部４にガイドピン８ａ，８ｂを設けてもよい。
【００３１】
さらに、本発明は、第一雄ネジ部３が、この第一雄ネジ部３と第二雄ネジ部４とで一連のネジとなるように形成されている場合について説明したが、第一雄ネジ部３と第二雄ネジ部４とのネジサイズが違ってもよい。
この場合、第二雄ネジ部４の外径が第一雄ネジ部３の谷の径より小さくなるように設定する。このようにすることで、第一雄ネジ部３に対応する雌ネジと第二雄ネジ部４との干渉を防止することができる。
【００３２】
また、本発明は、ネジ頭２に略十字の溝６が形成された場合について説明したが、略十字の溝６に代わって、マイナス形状や、六角形状、または星型形状等、ネジ締め付け用の工具に対応する溝形状であればよい。
さらに、本発明は、ネジ頭２の外形状が略円形に形成された場合について説明したが、外形状が六角形状等、ネジ締め付け用の工具に対応する外形状であればよい。
【００３３】
さらに、本発明は、第一雄ネジ部３の長さＬが、ネジ山１７の山数が一つまたは二つになるように設定したが、特に第一雄ネジ部３の長さＬを設定しない場合であっても、ネジの緩みを防止するという、同様の効果を奏することができる。
【図面の簡単な説明】
【００３４】
【図１】本発明の第一実施形態におけるネジを示し、（ａ）は上面図、（ｂ）は側面図である。
【図２】本発明の第一実施形態における図１（ａ）Ｆ−Ｆ線に沿う縦断面図である。
【図３】本発明の第一実施形態におけるネジの締め付け状況を示す側面図である。
【図４】本発明の第一実施形態におけるネジの締め付け状況を示す側面図である。
【図５】本発明の第一実施形態におけるネジの締め付け状況を示す側面図である。
【図６】本発明の第一実施形態におけるネジの締め付け状況を示し、（ａ）は側面図、（ｂ）は（ａ）のＣ部拡大図である。
【図７】本発明の第二実施形態におけるネジの側面図である。
【図８】本発明の第三実施形態におけるネジの側面図である。
【図９】本発明の第四実施形態におけるネジの側面図である。
【符号の説明】
【００３５】
１…ネジ、２…ネジ頭、３…第一雄ネジ部、４…第二雄ネジ部、５…コイルバネ（弾性部材）、８ａ…ガイドピン、８ｂ…ガイドピン、１２ａ…ガイド穴、１２ｂ…ガイド穴、１７…ネジ山、１８…ネジ山、２０ａ…ガイドピン、２０ｂ…ガイドピン、２１ａ…ガイド穴、２１ｂ…ガイド穴、２２ａ…板バネ部材（弾性部材）、２２ｂ…板バネ部材（弾性部材）、２３…油圧ピストン（弾性部材）
【図１】
2007224973.tif 000003
【図２】
2007224973.tif 000004
【図３】
2007224973.tif 000005
【図４】
2007224973.tif 000006
【図５】
2007224973.tif 000007
【図６】
2007224973.tif 000008
【図７】
2007224973.tif 000009
【図８】
2007224973.tif 000010
【図９】
2007224973.tif 000011